【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
表示手段と、
前記有利状態に制御されることを示唆する示唆演出を実行可能であるとともに、前記表示手段に所定表示を表示し該所定表示の表示態様を特定態様とする所定演出を前記示唆演出の実行に対応して実行可能な演出実行手段と、
を備え、
前記演出実行手段は、前記所定表示を用いた所定動作を行って表示態様が前記特定態様となる成功パターンと、前記所定表示を用いた所定動作を行って表示態様が前記特定態様とならない失敗パターンとにより前記所定演出を実行可能であって、
前記所定動作を行うときの前記所定表示の表示態様が複数あり、
前記所定表示が、可変表示における第１タイミングと、該第１タイミングよりも後の第２タイミングで開始される場合があり、
前記成功パターンの所定演出が実行される割合は、前記所定表示の前記所定動作を行うときの表示態様によって異なるとともに、前記所定表示が前記第１タイミングで開始されるときと前記第２タイミングで開始されるときとで異なり、
前記有利状態に制御される割合が、前記所定表示の態様によって異なる、
ことを特徴とする遊技機。
【請求項２】
可変表示を行い、遊技者にとって有利な有利状態に制御可能な遊技機であって、
表示手段と、
前記有利状態に制御されることを示唆する示唆演出を実行可能であるとともに、前記表示手段に表示した所定表示の表示態様を特定態様とする所定演出を前記示唆演出の実行に対応して実行可能な演出実行手段と、
を備え、
前記演出実行手段は、
前記所定表示を用いた所定動作によって表示態様が前記特定態様となる成功パターンと、表示態様が前記特定態様とならない失敗パターンとにより前記所定演出を実行可能であり、
前記所定演出において前記所定表示を複数表示可能であり、
前記所定表示が、可変表示における第１タイミングと、該第１タイミングよりも後の第２タイミングで開始される場合があり、
前記成功パターンの所定演出が実行される割合は、前記所定表示の表示数によって異なるとともに、前記所定表示が前記第１タイミングで開始されるときと前記第２タイミングで開始されるときとで異なり、
前記有利状態に制御される割合が、前記所定表示の態様によって異なる、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
可変表示を行い、遊技者にとって有利な有利状態（例えば、大当り遊技状態）に制御可能な遊技機（例えば、パチンコ遊技機１）であって、
表示手段（例えば、画像表示装置５）と、
前記有利状態に制御されることを示唆する示唆演出（例えば、スーパーリーチのリーチ演出）を実行可能であるとともに、前記表示手段に所定表示（例えば、カウンタの画像１３８ＳＧ００５ａ）を表示し該所定表示の表示態様を特定態様（例えば、図１０−１８（Ｂ）に示すスーパーリーチの報知態様）とする所定演出（例えば、カウントダウン演出）を前記示唆演出の実行に対応して実行可能な演出実行手段（例えば、演出制御用ＣＰＵ１２０が図１０−１０に示す可変表示中演出処理を実行する部分）と、
を備え、
前記演出実行手段は、前記所定表示を用いた所定動作（例えば、カウントダウン）を行って表示態様が前記特定態様となる成功パターン（例えば、図１０−１２（Ｇ）に示すように、カウンタの画像１３８ＳＧ００５ａ内に表示されている値が０秒となった（カウントダウンが完了した）後、該カウンタの画像１３８ＳＧ００５ａの表示態様が成功態様（スーパーリーチのリーチ演出の実行を報知する表示態様）に変化するパターン）と、前記所定表示を用いた所定動作（例えば、カウントダウン）を行って表示態様が前記特定態様とならない失敗パターン（例えば、カウンタの画像１３８ＳＧ００５ａ内に表示されている値が０秒となる（カウントダウンが完了する）ことなくカウンタの画像１３８ＳＧ００５ａの表示態様が失敗態様（スーパーリーチのリーチ演出の非実行を報知する表示態様）に変化するパターン）とにより前記所定演出を実行可能であって、
前記所定動作を行うときの前記所定表示の表示態様が複数あり（例えば、図１０−１１に示すように、カウンタの画像１３８ＳＧ００５ａが青色や赤色で表示される部分）、
前記所定表示が、可変表示における第１タイミングと、該第１タイミングよりも後の第２タイミングで開始される場合があり、
前記成功パターンの所定演出が実行される割合は、前記所定表示の前記所定動作を行うときの表示態様によって異なる（例えば、図１０−７（Ｃ）及び図１０−７（Ｄ）に示すように、カウントダウン演出が成功パターンにて実行される割合は、画像表示装置５に表示されるカウンタの画像１３８ＳＧ００５ａの色に応じて異なる部分）とともに、前記所定表示が前記第１タイミングで開始されるときと前記第２タイミングで開始されるときとで異なり、
前記有利状態に制御される割合が、前記所定表示の態様によって異なる、
ことを特徴としている。
この特徴によれば、所定演出の興趣を向上できる。
【手続補正３】
【補正対象書類名】明細書
【補正対象項目名】０００７
【補正方法】変更
【補正の内容】
【０００７】
本発明の手段２に記載の遊技機は、
可変表示を行い、遊技者にとって有利な有利状態（例えば、大当り遊技状態）に制御可能な遊技機（例えば、パチンコ遊技機１）であって、
表示手段（例えば、画像表示装置５）と、
前記有利状態に制御されることを示唆する示唆演出（例えば、スーパーリーチのリーチ演出）を実行可能であるとともに、前記表示手段に表示した所定表示（例えば、カウンタの画像１３８ＳＧ００５ａ）の表示態様を特定態様（例えば、図１０−１８（Ｂ）に示すスーパーリーチの報知態様）とする所定演出（例えば、カウントダウン演出）を前記示唆演出の実行に対応して実行可能な演出実行手段（例えば、演出制御用ＣＰＵ１２０が図１０−１０に示す可変表示中演出処理を実行する部分）と、
を備え、
前記演出実行手段は、
前記所定表示を用いた所定動作（例えば、カウントダウン）によって表示態様が前記特定態様となる成功パターン（例えば、図１０−１２（Ｇ）に示すように、カウンタの画像１３８ＳＧ００５ａ内に表示されている値が０秒となった（カウントダウンが完了した）後、該カウンタの画像１３８ＳＧ００５ａの表示態様が成功態様（スーパーリーチのリーチ演出の実行を報知する表示態様）に変化するパターン）と、表示態様が前記特定態様とならない失敗パターン（例えば、カウンタの画像１３８ＳＧ００５ａ内に表示されている値が０秒となる（カウントダウンが完了する）ことなくカウンタの画像１３８ＳＧ００５ａの表示態様が失敗態様（スーパーリーチのリーチ演出の非実行を報知する表示態様）に変化するパターン）とにより前記所定演出を実行可能であり、
前記所定演出において前記所定表示を複数表示可能（例えば、図１０−１１に示すように、カウンタの画像１３８ＳＧ００５ａが１個または２個表示される部分）であり、
前記所定表示が、可変表示における第１タイミングと、該第１タイミングよりも後の第２タイミングで開始される場合があり、
前記成功パターンの所定演出が実行される割合は、前記所定表示の表示数によって異なる（例えば、図１０−７（Ｃ）及び図１０−７（Ｄ）に示すように、カウントダウン演出が成功パターンにて実行される割合は、画像表示装置５に表示されるカウンタの画像１３８ＳＧ００５ａの個数に応じて異なる部分）とともに、前記所定表示が前記第１タイミングで開始されるときと前記第２タイミングで開始されるときとで異なり、
前記有利状態に制御される割合が、前記所定表示の態様によって異なる、
ことを特徴としている。
この特徴によれば、所定演出の興趣を向上できる。